(57)【要約】【課題】扉を支承するピンが誤操作によって引き抜かれてしまうことを未然に防止する。【解決手段】扉１７の幅方向一側の上部に固定される上部扉側部材２５と、該上部扉側部材と上下に対向する位置において扉開口部の上枠３に固定される上枠側部材２７とから成る扉支持装置である。上部扉側部材は上下移動可能であると共に上向きにばね付勢された上部ピン３１を備え、この上部ピンの先端が上枠側部材に設けられる穴（２８）に回転可能に挿入されることにより扉がピン支承され、該上部ピンの下端に設けられたつまみ３３を下方に引くことにより該ピン支承を解除可能である。該つまみを含む扉側部材の略全体を収容するカバー３２が取り外し可能に装着され、つまみを引く誤操作を未然に防止する。【選択図】図３
2008008105.tif 000002
【特許請求の範囲】
【請求項１】
扉の幅方向一側の上部に固定される上部扉側部材と、該上部扉側部材と上下に対向する位置において扉開口部の上枠に固定される上枠側部材とから成り、上部扉側部材は上下移動可能であると共に上向きに付勢された上部ピンを備え、この上部ピンの先端が上枠側部材に設けられる穴に回転可能に挿入されることにより扉がピン支承され、且つ、該上部ピンの下端に設けられたつまみを下方に引くことにより該ピン支承を解除可能であるように構成された扉支持装置において、該つまみを含む上部扉側部材の略全体を収容する上部カバーと、該上部カバーを取り外し可能に装着する着脱手段とを有することを特徴とする扉支持装置。
【請求項２】
扉の幅方向一側の上部に固定される上部扉側部材と、該上部扉側部材と上下に対向する位置において扉開口部の上枠に固定される上枠側部材とから成る上部扉支持装置と、上部扉側部材が設けられたと同じ扉の幅方向一側に固定される下部扉側部材と、該下部扉側部材と上下に対応する位置において扉開口部の床に固定される床側部材とから成る下部扉支持装置とを有し、上部扉側部材に設けられる上下移動可能且つ上向きにばね付勢された上部ピンの先端が上枠側部材に設けられる穴に回転可能に挿入され、且つ、床側部材に設けられる下部ピンの先端が下部扉側部材に設けられる穴に回転可能に挿入されることにより扉がピン支承され、前記上部ピンの下端に設けられたつまみを下方に引くことにより該ピン支承を解除可能であるように構成された扉支持装置において、該つまみを含む上部扉側部材の略全体を収容する上部カバーと、該上部カバーを取り外し可能に装着する上部カバー着脱手段と、下部扉側部材の略全体を収容する下部カバーと、該下部カバーを取り外し可能に装着する下部カバー着脱手段とを有することを特徴とする扉支持装置。
【請求項３】
扉の幅方向一側の上部に用いられる上部カバーと、扉の幅方向他側の下部に用いられる下部カバーとが兼用可能であることを特徴とする、請求項２記載の扉支持装置。
【請求項４】
カバー着脱手段が板ばね、磁石、ビス、ピン、回転可能な板片のいずれかまたは任意の組み合わせで構成されることを特徴とする、請求項１ないし３のいずれか記載の扉支持装置。
【発明の詳細な説明】
【技術分野】
【０００１】
本発明は、扉をピン支承により回転可能に支持する扉支持装置に関する。
【背景技術】
【０００２】
扉をピン支承により回転可能に支持する扉支持装置としては、下記特許文献１に記載されるものがある。
【特許文献１】特開２００５−１３３５２６号公報
【０００３】
この従来技術によれば、扉の幅方向一側の上部を扉枠の上枠に対してピン支承する上部扉支持装置が上部扉側部材と上枠側部材とから成り、該一側の下部を床に対してピン支承する下部扉支持装置が下部扉側部材と床側部材とから成る。
【０００４】
上部扉支持装置の上部扉側部材は、上方にばね付勢されたピンを有し、このピンの先端が上枠側部材の穴に回転自在に嵌入されることにより、扉上部におけるピン支承がなされる。また、ピンの下端にはつまみが設けられ、このつまみを下方に引くことによりピンの先端が上枠側部材の穴から外れるようになっている。
【発明の開示】
【発明が解決しようとする課題】
【０００５】
ところが、この従来技術による上部扉支持装置においては、前記つまみが上部扉側部材の下方に露出しているため、何らかの原因でこのつまみが引かれると、扉上部におけるピン支承が解除され、扉上部が上枠から外れてしまう。
【０００６】
本発明の課題は、扉の幅方向一側の上部を扉枠の上枠に対してピン支承する上部扉支持装置における上部扉側部材のピンが不用意に引かれない構造を有する扉支持装置を提供することである。
【課題を解決するための手段】
【０００７】
この課題を解決するため、請求項１に係る本発明は、扉の幅方向一側の上部に固定される上部扉側部材と、該上部扉側部材と上下に対向する位置において扉開口部の上枠に固定される上枠側部材とから成り、上部扉側部材は上下移動可能であると共に上向きに付勢された上部ピンを備え、この上部ピンの先端が上枠側部材に設けられる穴に回転可能に挿入されることにより扉がピン支承され、且つ、該上部ピンの下端に設けられたつまみを下方に引くことにより該ピン支承を解除可能であるように構成された扉支持装置において、該つまみを含む上部扉側部材の略全体を収容する上部カバーと、該上部カバーを取り外し可能に装着する着脱手段とを有することを特徴とする。
【０００８】
請求項２に係る本発明は、扉の幅方向一側の上部に固定される上部扉側部材と、該上部扉側部材と上下に対向する位置において扉開口部の上枠に固定される上枠側部材とから成る上部扉支持装置と、上部扉側部材が設けられたと同じ扉の幅方向一側に固定される下部扉側部材と、該下部扉側部材と上下に対応する位置において扉開口部の床に固定される床側部材とから成る下部扉支持装置とを有し、上部扉側部材に設けられる上下移動可能且つ上向きにばね付勢された上部ピンの先端が上枠側部材に設けられる穴に回転可能に挿入され、且つ、床側部材に設けられる下部ピンの先端が下部扉側部材に設けられる穴に回転可能に挿入されることにより扉がピン支承され、前記上部ピンの下端に設けられたつまみを下方に引くことにより該ピン支承を解除可能であるように構成された扉支持装置において、該つまみを含む上部扉側部材の略全体を収容する上部カバーと、該上部カバーを取り外し可能に装着する上部カバー着脱手段と、下部扉側部材の略全体を収容する下部カバーと、該下部カバーを取り外し可能に装着する下部カバー着脱手段とを有することを特徴とする。
【０００９】
請求項３に係る本発明は、請求項２記載の扉支持装置において、扉の幅方向一側の上部に用いられる上部カバーと、扉の幅方向他側の下部に用いられる下部カバーとが兼用可能であることを特徴とする。
【００１０】
請求項４に係る本発明は、請求項１ないし３のいずれか記載の扉支持装置において、カバー着脱手段が磁石、ビス、ピン、回転可能な板片のいずれかまたは任意の組み合わせで構成されることを特徴とする。
【００１１】
本発明の扉支持装置は、扉枠を有し、その扉枠の開口部に水平面内での回転によって開閉する扉に適用可能である。この場合、扉は片側開きであっても両側開き（観音開き）であっても良い。扉枠は、上枠と一対の縦枠を有する三方枠（または略門形）である。ピン支承はピボットヒンジに相当し、ピン周りの回転運動のみが自由で、軸方向や軸に直角の方向の移動を規制する支承方式である。
【発明の効果】
【００１２】
請求項１に係る扉支持装置によれば、上部ピンの下端に設けられるつまみを含む上部扉側部材の略全体がカバー内に収容されているので、カバー装着状態においてつまみが不用意に引かれる誤操作によって扉の上部が上枠から外れてしまうことを未然に防止することができる。また、カバーによってゴミやホコリなどの異物が入り込むことを防止することができ、長期間に亘って確実な作動を保証する。
【００１３】
請求項２に係る扉支持装置によれば、上部ピン下端に設けられるつまみを含む上部扉側部材の略全体がカバー内に収容されているので、カバー装着状態においてつまみが不用意に引かれる誤操作によって扉の上部が上枠から外れてしまうことを未然に防止することができる。また、カバーによってゴミやホコリなどの異物が入り込むことを防止することができ、長期間に亘って確実な作動を保証する。
【００１４】
請求項３に係る扉支持装置によれば、扉の幅方向一側の上部に固定される上部扉側部材用カバーと、扉の幅方向他側の下部に固定される下部扉側部材用カバーとを兼用させることができる。
【００１５】
請求項４に係る扉支持装置によれば、カバー着脱手段が板ばね、磁石、ビス、ピン、回転可能な板片のいずれかまたは任意の組み合わせで構成され、簡単な構成でありながら確実な作動を保証する。
【発明を実施するための最良の形態】
【００１６】
図１は、本発明に係る扉支持装置を適用した扉装置の実施形態を示す正面図である。この扉装置は、扉枠１と床１３で形成される開口部１４に扉１７を設けたものである。扉枠１は、上枠３および左右縦枠５、６を有する三方枠（または門形枠）で、バリアフリーのために下枠が無い。扉１７は片開きで、この実施形態では右縦枠６側を回転軸として、扉枠１の開口部１４に対して水平面内で回転するように取り付けられる。
【００１７】
扉枠１および扉１７の材質は特に限定されないが、合板、木質繊維板（ＭＤＦなど）、木削片板、単板積層板などの木質系、スチロール樹脂、塩化ビニル樹脂、強化プラスチック、発泡スチロール樹脂、発泡ウレタン樹脂などの合成樹脂系、あるいは木質系と合成樹脂系との複合積層材料などを使用することができる。たとえば主として木質繊維板（ＭＤＦなど）で形成され、表面に化粧材が設けられたものを扉枠１および扉１７に用いることができる。化粧材は、扉枠１および扉１７を形成する木質繊維板の少なくとも露出面に設けられ、可撓性を有する材料が選定される。化粧材の材料としては、たとえば天然木材を切削して得られる天然突板や表面に各種模様を印刷した合成樹脂シートなどが使用される。
【００１８】
扉１７は、その幅方向１９の右側（一側）２１の上部および下部において、それぞれ上部扉支持装置２５および下部扉支持装置５０によりピボットヒンジ（ピン支承）により支持される。ピボットヒンジは、その軸が垂直方向に設けられたピン周りの水平面内での回転が可能である。また、扉の左側（他側）で中間高さ位置寄りには取手２４が設けられる。
【００１９】
床１３は、木質材、無機材など材料には限定されないが、特に木質系材料で形成した床材の場合には下部扉支持装置５０の床側部材６０の固定を木ねじ、釘などで固定することができる。木質系材料は、合板、木質繊維板（ＭＤＦなど）、木削片板、単板積層板などである。床１３の表面には化粧材が設けられるが、扉枠１および扉１７について既述した化粧材と同じ材質のものを使用することができる。
【００２０】
図２は図１におけるＡ−Ａ線断面図であり、図３は図１におけるＢ−Ｂ線断面図である。扉１７が閉じられた状態で扉１７は左右縦枠５、６および上枠３の幅方向中央に設けられた戸当り８，９，１０に当接する。扉１７の閉じ側となる縦枠５の戸当り８および上枠３の戸当り１０には緩衝片１１，１２が設けられる。緩衝片１１，１２は、扉１７が閉じられた際の衝撃と衝撃音を小さくする。
【００２１】
図３と共にさらに図４〜図６を参照して、上部扉支持装置２５の詳細構成について説明する。上部扉支持装置２５は、扉枠１の上枠３側に固定される上枠側部材２７と、扉１７の上部に固定される上部扉側部材２９を有する。
【００２２】
上部扉側部材２９は、板状の取付片２９ａと、この取付片２９ａの一辺片側寄りから垂下する垂下片２９ｂと、この垂下片２９ｂの両側から扉前方に向けて突出する一対の軸受片２９ｃ，２９ｄと、これら垂下片２９ｂおよび軸受片２９ｃ，２９ｄを覆うカバー３２を有する。取付片２９ａは３箇所のビス孔３０を有し、各ビス孔３０に通したビス（図示せず）により扉１７の上木口１８に固定される。カバー３２は、後述する上部ピン３１のつまみ３３を含む略全体をも収容している。
【００２３】
上部扉側部材２９の垂下片２９ｂおよび軸受片２９ｃ，２９ｄで囲まれる空間内にはブロック３５が装着される。ブロック３５は、矩形断面部分３５ａと、略円形断面部分３５ｂとを有して一体に形成された部材であり、その矩形断面部分３５ａを水平方向に貫通する雌ねじ３６が形成されている。
【００２４】
上部扉側部材２９の軸受片２９ｃ，２９ｄには、水平方向に整列した位置に皿状孔（符号なし）が設けられ、外周に雄ねじ３８が形成された水平方向調整ねじ３７がこれら皿状孔に挿入されると共にブロック矩形断面部分３５ａの雌ねじ３６に螺合される。水平方向調整ねじ３７の先端３７ａ側は回動可能なように拡径してかしめられる。このような構成において、水平方向調整ねじの頭３７ｂ側を回動操作すると、水平方向調整ねじ３７が、軸受片２９ｃ，２９ｄに対しては相対的位置を変えずに回動するので、ブロック３５が水平方向調整ねじ３７の長手方向（図４，図５の左右方向）に移動する。これにより、上部扉支持装置２５において上部扉側部材２９の位置を扉１７の幅方向に微調整することができる。
【００２５】
上部扉側部材２９は、コイルばね３４により常に上向きに付勢されるとともに上下方向に移動可能な上部ピン３１を有しており、この上部ピン３１の先端が上枠側部材２７の穴２８に回動可能に嵌入した状態とすることによりピン支承される。上部ピン３１の基端側にはつまみ３３が設けられ、このつまみ３３を下方に引くことにより上部ピン３１の先端を上枠側部材２７の穴から外すことができるようになっている。
【００２６】
上枠側部材２７は、図６に示すように、板状の取付片２７ａと、その一辺側から延在する軸受片２７ｂとを一体に有して成る。取付片２７ａには４箇所に取付孔２７ｃが設けられ、これら取付孔２７ｃに通したビス（図示せず）により上枠３に固定される。軸受片２７ｂには穴２８が設けられ、この穴２８に先述の上部ピン３１の先端が回転可能且つ抜き差し可能に嵌入される。さらに、軸受片２７ｂの周囲には所要の高さ突出するリブ２７ｄが設けられているので、その穴２８を含む先端側の領域がカバー２７ｅに覆われていても、上部ピン３１の先端を嵌入して安定したピン支承を行うための十分な嵌入ストロークを確保している。
【００２７】
上部カバー３２は上部扉側部材２９の略全体を包囲しており、磁石３９および板ばね４０により装着され且つ取り外し可能である。磁石３９は上部カバー３２の内側に接着、かしめなどの任意の手法で固定され、上部扉側部材２９の構成要素のうち鋼などの金属で形成されるもの（たとえば取付片２９ａ、垂下片２９ｂ、軸受片２９ｃ，２９ｄ、上部ピン３１）に吸引されて上部カバー３２の装着状態を安定化する。板ばね４０は、上部カバー３２の基端側に形成された板ばね取付溝４６に固定されると共に、その鉤状先端４０ａが取付溝４６から突出して垂下片２９ｂの側面または軸受片２９ｄの上端に圧接し、上部カバー３２の装着状態を安定化する。図示の実施形態では、板ばねの鉤状先端４０ａを係止する凹部２９ｅを垂下片２９ｂの側面に形成して、より安定的なカバー装着状態を確保している。なお、この実施形態では磁石３９と板ばね４０を用いているが、通常の使用において上部カバー３２が容易に外れないような装着状態を確保することができれば、これらの使用箇所・個数・形成手法などを問うものではなく、また、磁石と板ばねのいずれか一方のみを用いても良い。
【００２８】
この上部扉支持装置２５によれば、上部ピン３１下端のつまみ３３を含む上部扉側部材２９の略全体が包囲されているので、ゴミやホコリなどの異物が入り込んで機能を阻害することがなく、さらに、つまみ３３の誤操作によって上部ピン３１が穴２８から外れてしまう危険性が回避される。建付けの微調整をするときは、上部カバー３２を磁石３９の吸引力および／または板ばね４０の付勢力に抗して下方に引き下げることにより外した後、水平方向調整ねじ３７を操作すれば、既述のようにして上部扉側部材２９の位置を扉１７の幅方向に微調整することができ、その後再度上部カバー３２を被着すれば良い。
【００２９】
図７は、上部カバー３２を着脱可能に取り付ける手段として、前述の磁石３９と共にビス４１を用いた実施形態を示す。磁石３９および他の要素については既述実施形態と同様であるので、同一の符号を付してそれらの説明を省略する。ビス４１は上部カバー３２に形成されたビス孔（符号なし）にねじ込まれ、ビス４１を締めたときにその先端がカバー３２の内壁から突出して軸受片２９ｄに形成した凹部ないし穴（図示せず）あるいは軸受片２９ｄの上端に係止され、上部カバー３２の脱落を防止する。上部カバー３２を取り外す際にはビス４１を緩めて外せば良い。
【００３０】
図８は、上部カバー３２を着脱可能に取り付ける手段として、前述の磁石３９と共にピン４２を用いた実施形態を示す。磁石３９および他の要素については既述実施形態と同様であるので、同一の符号を付してそれらの説明を省略する。ピン４２は上部カバー３２に形成されたピン挿通孔（符号なし）に挿入され、ピン４２を押し込んだときにその先端が上部カバー３２の内壁から突出して軸受片２９ｄに形成した凹部ないし穴（図示せず）あるいは軸受片２９ｄの上端に係止され、上部カバー３２の脱落を防止する。上部カバー３２を取り外す際にはピン４２を引き抜けば良い。
【００３１】
図９は、上部カバー３２を着脱可能に取り付ける手段として、前述の磁石３９と共に板片４３を用いた実施形態を示す。磁石３９および他の要素については既述実施形態と同様であるので、同一の符号を付してそれらの説明を省略する。板片４３は上部カバー３２に形成されたスリット４４に挿入され、軸４５に軸支される。軸４５を中心に板片４３を回転させることにより、板片４３の先端が上部カバー３２の内壁から突出して軸受片２９ｄに形成した凹部ないし穴（図示せず）に係止され、上部カバー３２の脱落を防止する。上部カバー３２を取り外す際には板片４３を図９（ｂ）において時計方向に回転させて先端の係止状態を解除すれば良い。
【００３２】
図３と共にさらに図１０および図１１を参照して、下部扉支持装置５０の詳細構成について説明する。下部扉支持装置５０は、扉１７の下部に固定される下部扉側部材５２と、床１３に固定される床側部材６０を有する。下部扉側部材５２は、上部扉支持装置２５の上部扉側部材２９に対して上下に対向する位置に設けられ、その形状は上部の上部扉側部材２９に対して略反対勝手である。下部扉支持装置５０における下部扉側部材５２は、下部ピン６１に対して垂直方向に微調整可能であるので、扉１７の下部を扉枠１に対して適正な位置に建付け調整することができる。さらに、下部扉側部材５２は、下部ピン６１に対して上下方向に微調整可能であるので、扉１７の下部を床に対して適正な高さ位置に建付け調整することができる。上部扉支持装置２５の上部扉側部材２９に設けられる上部ピン３１は上下方向に移動可能であるので、下部ピン６１の上下方向の高さ調整に応じて上部ピン３１が上下移動する。
【００３３】
下部扉支持装置５０の下部扉側部材５２と床側部材６０とは、床側部材６０に設けられる下部ピン６１が下部扉側部材５２に設けられる孔（図示せず）に挿入されることによりピン支承される。下部扉側部材５２に設けられる孔に下部ピン６１が差し込まれることにより下部扉側部材５２がピン先端に載置され、下部ピン６１は略扉１７の重量を支える。
【００３４】
床側部材６０は、図１１に示すように、前述の下部ピン６１が座板６２から上方に突出するように設けられて成る。座板６２には２箇所に長孔６３が設けられ、これら長孔６３に通したビス（図示せず）により床１３（図１，図３）に固定される。
【００３５】
下部扉側部材５２は、板状の取付片５３ａと、この取付片５３ａの一辺片側寄りから垂立する垂立片５３ｂと、この垂立片５３ｂの両側から前方に突出する一対の軸受片５３ｃ，５３ｄと、これら垂立片５３ｂおよび軸受片５３ｃ，５３ｄを覆う下部カバー５４とを有する。取付片５３ａは３箇所のビス孔６６を有し、各ビス孔６６に通したビス（図示せず）により扉１７の下木口１６に固定される。
【００３６】
下部扉側部材５２の垂立片５３ｂおよび軸受片５３ｃ，５３ｄで囲まれる空間内にはブロック５５が装着される。ブロック５５は、矩形断面部分５５ａと、湾曲形状断面部分５５ｂとを有して一体に形成された部材であり、その矩形断面部分５５ａを水平方向に貫通する雌ねじ（符号なし）が形成されている。
【００３７】
下部扉側部材５２の軸受片５３ｃ，５３ｄには、水平方向に整列した位置に皿状孔（符号なし）が設けられ、外周に雄ねじ（符号なし）が形成された水平方向調整ねじ５６がこれら皿状孔に挿入されると共にブロック矩形断面部分５５ａの雌ねじに螺合される。水平方向調整ねじ５６の先端（図１０において右端）側は回動可能なように拡径してかしめられる。このような構成において、水平方向調整ねじ５６の頭部（符号なし、図１０において左端）を回動操作すると、水平方向調整ねじ５６が、軸受片５３ｃ，５３ｄに対しては相対的位置を変えずに回動するので、ブロック５５が水平方向調整ねじ５６の長手方向（図１０の左右方向）に移動する。これにより、下部扉支持装置５０において下部扉側部材５２の位置を扉１７の幅方向に微調整することができる。
【００３８】
また、ブロック５５の湾曲形状断面部分５５ｂを上下方向に貫通する孔５５ｃが、下部ピン６１が回動可能に挿入できる大きさを有するものとして設けられている。孔５５ｃには、その略全長に亘って内周に雌ねじ５５ｄが形成され、この雌ねじ５５ｄに上下方向調整ねじ５７が螺合している。また、上下方向調整ねじ５７の下面に接して座板５８が設けられており、下部ピン６１との間に介在している。座板５８は上下方向調整ねじ５７の回動を円滑にする。座板５８には所定箇所に突起（図示せず）が形成され、この突起が孔５５ｃの縦軸方向に形成される細溝（図示せず）に嵌入されることで回り止めされている。
【００３９】
以上の構成において、上下方向調整ねじ５７を回動すると、孔５５ｃ内周の雌ねじ５５ｄとの螺合を介して上下方向調整ねじ５７が上下方向に移動し、これにより下部下部扉側部材５２が上下移動するので、扉１７の高さを微調整することができる。
【００４０】
下部カバー５４は下部扉側部材５２の略全体を包囲しており、磁石６４および板ばね６５により装着され且つ取り外し可能である。磁石６４は下部カバー５４の内側に接着、かしめなどの任意の手法で固定され、下部扉側部材５２の構成要素のうち鋼などの金属で形成されるもの（たとえば取付片５３ａ、垂立片５３ｂ、軸受片５３ｃ，５４ｄ、下部ピン６１）に吸引されて下部カバー５４の装着状態を安定化する。板ばね６５は、下部カバー５４の基端側に形成された板ばね取付溝５９に固定されると共に、その鉤状先端が取付溝５９から突出して垂立片５３ｂの側面に圧接または軸受片５３ｄの下端に係止して、下部カバー５４の装着状態を安定化する。図示の実施形態では、板ばね６５の鉤状先端を係止する凹部５３ｅを垂立片５３ｂの側面に形成して、より安定的なカバー装着状態を確保している。
【００４１】
なお、この実施形態では磁石６４と板ばね６５を用いているが、通常の使用において下部カバー５４が容易に外れないような装着状態を確保することができれば、これらの使用箇所・個数・形成手法などを問うものではなく、また、磁石と板ばねのいずれか一方のみを用いても良い。あるいは、上部扉支持装置２５における上部カバー３２のための装着手段として既述したように、ビス４１（図７）、ピン４２（図８）、回転可能な板片４３（図９）などを下部カバー５４のための装着手段として単独で、あるいは磁石６４および/または板ばね６５と組み合わせて用いても良い。
【００４２】
なお、以上の記述から理解されるように、上部扉支持装置２５における上部扉側部材２９と下部扉支持装置５０における下部扉側部材５２の構成は近似しており、上部カバー３２と下部カバー５４も対称的に略同一の形状および大きさを有するものであって良い。したがって、同一形状および大きさを有するカバーを、扉１７の一側上部に取り付ける上部扉側部材２９用の上部カバー３２と、扉１７の他側下部に取り付ける下部扉側部材５２用の下部カバー５４とに共用することも可能である。
【図面の簡単な説明】
【００４３】
【図１】本発明に係る扉支持装置を適用した扉装置の一実施形態を示す正面図である。
【図２】図１におけるＡ−Ａ線断面図である。
【図３】図１におけるＢ−Ｂ線断面図である。
【図４】図１における上部扉支持装置の一実施形態の詳細構成を示し、（ａ）はその正面図、（ｂ）は図４（ａ）におけるＣ−Ｃ線断面図である。
【図５】図４（ａ）におけるＤ−Ｄ線断面図である。
【図６】この上部扉支持装置の上枠側部材を示し、（ａ）はその平面図、（ｂ）はその正面図である。
【図７】上部扉支持装置の別の実施形態の詳細構成を示し、（ａ）はその正面図、（ｂ）は図７（ａ）におけるＥ−Ｅ線断面図である。
【図８】上部扉支持装置の別の実施形態の詳細構成を示し、（ａ）はその正面図、（ｂ）は図８（ａ）におけるＦ−Ｆ線断面図である。
【図９】上部扉支持装置の別の実施形態の詳細構成を示し、（ａ）はその正面図、（ｂ）は図９（ａ）におけるＧ−Ｇ線断面図である。
【図１０】図１における下部扉支持装置の一実施形態の詳細構成を示す平面図（ａ）および正面図（ｂ）である。
【図１１】図１０の下部扉装置の床側部材を示し、（ａ）は図１０（ｂ）におけるＨ−Ｈ線断面図、（ｂ）はその正面図である。
【符号の説明】
【００４４】
１  扉枠
３  上枠
５，６縦枠
１３  床
１６  扉の下木口
１７  扉
１８  扉の上木口
２５  上部扉支持装置
２７  上枠側部材
２８  穴
２９  上部扉側部材
３１  上部ピン
３２  上部カバー
３３  つまみ
３４  ばね
３７  水平方向調整ねじ
３９  磁石
４０  板ばね
４１  ビス
４２  ピン
４３  板片
５０  下部扉支持装置
５２  下部扉側部材
５４  下部カバー
５６  水平方向調整ねじ
５７  上下方向調整ねじ
６０  床側部材
６１  下部ピン
６４  磁石
６５  板ばね
【図１】
2008008105.tif 000003
【図２】
2008008105.tif 000004
【図３】
2008008105.tif 000005
【図４】
2008008105.tif 000006
【図５】
2008008105.tif 000007
【図６】
2008008105.tif 000008
【図７】
2008008105.tif 000009
【図８】
2008008105.tif 000010
【図９】
2008008105.tif 000011
【図１０】
2008008105.tif 000012
【図１１】
2008008105.tif 000013